(57)【要約】【課題】盤面全体を透明板で形成し且つ従来からのベニヤ製遊技盤を用いた遊技盤ユニットと互換性のある遊技盤ユニットを搭載した弾球遊技機を、少ない部品点数で実現する。【解決手段】遊技部品が装着された遊技盤３１とこの遊技盤３１の背面側に着脱可能に装着され且つ遊技部品を後側から覆う裏カバー５１とを有する遊技盤ユニット６と、所定板厚ｔに形成された遊技盤ユニット６をその外周部において着脱可能に保持する遊技盤ユニット装着枠とを備えた弾球遊技機で、裏カバー５１に、遊技盤３１の外周に沿ってその後側に一定幅で配設された板厚調整リブ５２を一体に設け、遊技盤３１の板厚と板厚調整リブ５２の幅とを合わせて所定板厚ｔと一致するように構成したものである。【選択図】図８
2011139944.tif 000002
【特許請求の範囲】
【請求項１】
遊技部品（３５，３７，３９，４１，４３）が装着された遊技盤（３１）と該遊技盤（３１）の背面側に着脱可能に装着され且つ前記遊技部品（３５，３７，３９，４１，４３）を後側から覆う裏カバー（５１）とを有する遊技盤ユニット（６）と、所定板厚（ｔ）に形成された前記遊技盤ユニット（６）をその外周部において着脱可能に保持する遊技盤ユニット装着枠（２１）とを備えた弾球遊技機において、前記裏カバー（５１）に、前記遊技盤（３１）の外周に沿ってその後側に一定幅で配設された板厚調整リブ（５２）を一体に設け、前記遊技盤（３１）の板厚と前記板厚調整リブ（５２）の幅とを合わせて前記所定板厚（ｔ）と一致するように構成したことを特徴とする弾球遊技機。
【請求項２】
前記遊技盤ユニット装着枠（２１）は、前記遊技盤ユニット（６）を前側から着脱可能に構成されると共に、前記遊技盤ユニット（６）の外周面に沿って配置される周壁部（８１ａ〜８４ａ）と、前記遊技盤ユニット（６）の背面側に沿って配置される後壁部（８１ｂ〜８４ｂ）とを備え、前記遊技盤ユニット（６）を前記遊技盤ユニット装着枠（２１）に装着したとき、前記板厚調整リブ（５２）の後端側が前記後壁部（８１ｂ〜８４ｂ）に略当接するように構成されていることを特徴とする請求項１に記載の弾球遊技機。
【請求項３】
前記遊技盤（３１）と平行に配置され且つ前記板厚調整リブ（５２）の後縁側とその内側の前記裏カバー（５１）とを一体に連結する第１連結板（５３ｂ）を備え、前記第１連結板（５３ｂ）の背面側に、所定の装着部材（３３）を着脱自在に装着可能な装着部（６１）を設けたことを特徴とする請求項１又は２に記載の弾球遊技機。
【請求項４】
前記板厚調整リブ（５２）の前縁側と前記裏カバー（５１）の前縁側とを前記遊技盤（３１）の裏面側に沿って一体に連結する第２連結板（５３ａ）を備え、前記装着部材（３３）を装着する部分は前記第１連結板（５３ｂ）を、それ以外の部分は前記第２連結板（５３ａ）を配置したことを特徴とする請求項３に記載の弾球遊技機。
【発明の詳細な説明】
【技術分野】
【０００１】
本発明は、パチンコ機等の弾球遊技機に関するものである。
【背景技術】
【０００２】
パチンコ機等の弾球遊技機は、矩形枠状の外枠と、この外枠に対して開閉自在に装着された前枠とを備え、この前枠に設けられた遊技盤ユニット装着枠に遊技盤ユニットが例えば前側から着脱可能に装着されている。この遊技盤ユニットは、液晶式表示手段、入賞ユニット、ランプユニット等の各種遊技部品が着脱自在に装着された遊技盤と、この遊技盤の裏側に着脱自在に装着され且つ遊技部品を裏側から覆う裏カバーとを備えており、遊技盤ユニット装着枠はこの遊技盤の外周部を着脱可能に保持するように構成されている。
【０００３】
ところで、遊技盤ユニットを構成する遊技盤には、従来から主にベニヤ板が用いられてきたが、液晶表示手段の大型化が進み、遊技盤の前面側に装飾部材等を配置するためのスペースが不十分となってきたことなどから、樹脂製の透明板を遊技盤として使用し、その透明板の後側に各種装飾部材、演出部材等を配置した機種も増えつつある。
【０００４】
この樹脂製の透明板を遊技盤として使用する場合、その板厚等の基本形状を従来からのベニヤ製の遊技盤と同一にすれば、従来からの機種に対しても、ベニヤ製の遊技盤を用いた遊技盤ユニットに代えて樹脂製の透明遊技盤を用いた遊技盤ユニットをそのまま搭載することが可能であるが、現時点では、種々の制約により樹脂製透明板を従来のベニヤ製の遊技盤と同じ板厚に形成することは難しい。
【０００５】
そこで、例えば特許文献１に記載された発明では、厚さ等の基本形状をベニヤ製遊技盤と同一に形成した遊技盤セット枠を用意し、その遊技盤セット枠にそれよりも板厚の小さい樹脂製の透明遊技盤を嵌め込んで遊技盤ユニットを形成することにより、樹脂製の透明遊技盤を用いつつ、従来のベニヤ製遊技盤を用いた遊技盤ユニットと互換性を持たせることを可能としている。
【先行技術文献】
【特許文献】
【０００６】
【特許文献１】特開２００６−３３４０７２号公報
【発明の概要】
【発明が解決しようとする課題】
【０００７】
しかしながら、特許文献１に記載された発明では、少なくとも遊技盤セット枠の分だけ従来よりも部品点数が多くなるという問題がある。また、遊技盤セット枠の内側に透明遊技盤を嵌め込むため、盤面全体を一枚の透明板で形成することはできず、透明な領域を周辺部まで十分に広くとることができないという問題もある。
【０００８】
本発明は、このような従来の問題点に鑑みてなされたものであり、その目的とするところは、盤面全体を透明板で形成し且つ従来からのベニヤ製遊技盤を用いた遊技盤ユニットと互換性のある遊技盤ユニットを搭載した弾球遊技機を、少ない部品点数で実現することにある。
【課題を解決するための手段】
【０００９】
本発明は、遊技部品３５，３７，３９，４１，４３が装着された遊技盤３１と該遊技盤３１の背面側に着脱可能に装着され且つ前記遊技部品３５，３７，３９，４１，４３を後側から覆う裏カバー５１とを有する遊技盤ユニット６と、所定板厚ｔに形成された前記遊技盤ユニット６をその外周部において着脱可能に保持する遊技盤ユニット装着枠２１とを備えた弾球遊技機において、前記裏カバー５１に、前記遊技盤３１の外周に沿ってその後側に一定幅で配設された板厚調整リブ５２を一体に設け、前記遊技盤３１の板厚と前記板厚調整リブ５２の幅とを合わせて前記所定板厚ｔと一致するように構成したものである。
【発明の効果】
【００１０】
本発明によれば、従来からのベニヤ製遊技盤よりも板厚の薄い遊技盤３１を用いつつベニヤ製遊技盤を用いた遊技盤ユニットと互換性を持たせることができ、しかも盤面全体を透明板で形成することができ、更にそのような遊技盤ユニットを少ない部品点数で実現できる。
【図面の簡単な説明】
【００１１】
【図１】本発明の一実施形態を示すパチンコ機の全体斜視図である。
【図２】同パチンコ機のガラス扉及び前面開閉板を取り外した状態での正面図である。
【図３】同パチンコ機の前枠の斜視図である。
【図４】同パチンコ機の遊技盤ユニットの正面図である。
【図５】同パチンコ機の遊技盤ユニットの背面図である。
【図６】同パチンコ機の遊技盤ユニットの分解斜視図である。
【図７】同パチンコ機の遊技盤ユニットの分解斜視図である。
【図８】図４におけるＡ矢視断面図である。
【図９】図５におけるＢ矢視断面図である。
【図１０】図５におけるＣ矢視断面図である。
【図１１】遊技盤ユニットの遊技盤ユニット装着枠への装着状態を示す側面断面図である。
【図１２】遊技盤ユニットの遊技盤ユニット装着枠への装着状態を示す平面断面図である。
【発明を実施するための形態】
【００１２】
以下、本発明の実施形態を図面に基づいて詳述する。図１〜図１２は本発明をパチンコ機に採用した一実施形態を例示している。図１において、１は遊技機本体で、矩形状の外枠２と、この外枠２の前側に開閉自在に枢着された前枠３とを備えている。
【００１３】
前枠３は例えば合成樹脂製で、図２，図３等に示すように、外枠２の前面側に当接する矩形状の枠部４と、この枠部４の内側下部に配置される下部装着部３ａと、枠部４の内側上部に配置される上部装着部３ｂとを一体に備え、下部装着部３ａに発射手段５等が、上部装着部３ｂに遊技盤ユニット６等が夫々配置されている。枠部４は、上下一対の横枠部４ａ，４ｂと、左右一対の縦枠部４ｃ，４ｄとで構成されており、前枠３はその左右一端側、例えば左縦枠部４ｃ側に設けられた上下方向のヒンジ７により外枠２に枢支されている。
【００１４】
また前枠３の前側には、図１に示すように、下部装着部３ａに対応する前面開閉板９と、上部装着部３ｂに対応するガラス扉１０とがヒンジ７と同じ側のヒンジ１１により開閉自在に枢支されている。前面開閉板９には、その前側に、発射手段５に供給するための遊技球を貯留する供給皿１２、発射手段５を作動させるための発射ハンドル１３等が設けられている。また、ガラス扉１０には、遊技盤ユニット６側の遊技領域６ａに対応するガラス窓１４が形成されている。
【００１５】
下部装着部３ａは、下横枠部４ｂの上側に沿って横長状に形成されており、図２に示すようにその前側の例えば左右方向略中央に発射手段５が配置され、前面開閉板９側の供給皿１２からこの発射手段５に発射用の遊技球が供給されるようになっている。また、発射手段５の左側には、前枠３の裏側の払い出し手段（図示省略）から払い出された遊技球を前面開閉板９側の供給皿１２に排出するための払い出し口１５等が、右側には下部スピーカ１６等が夫々配置されている。
【００１６】
上部装着部３ｂは、枠部４の内側で且つ下部装着部３ａの上側に配置され、図２，図３等に示すように外枠２の内側に嵌合可能な後ろ向き膨出状に形成されており、その前部に遊技盤ユニット６を装着可能な遊技盤ユニット装着枠２１が設けられている。また、上部装着部３ｂにおける遊技盤ユニット装着枠２１よりも後側が後部ケース２２となっており、更に上部の左右両端側には一対の上部スピーカ２３が着脱自在に装着されている。後部ケース２２には、遊技盤ユニット６の後部側が嵌合する開口部２２ａが形成されている。
【００１７】
遊技盤ユニット６は、図４〜図１０等に示すように、アクリル板その他の樹脂製透明板よりなる透明遊技盤３１、この透明遊技盤３１の裏側に装着される裏装着部材３２、この裏装着部材３２の後側に装着される集球カバー３３等で構成されている。
【００１８】
透明遊技盤３１は、板厚は従来のベニヤ製遊技盤よりも薄いが、外形形状は従来のベニヤ製遊技盤と一致するように形成されており、その前面側に遊技領域６ａの外側を取り囲むように前面装飾部材３４が装着され、またその遊技領域６ａ内には、図２に示すように表示枠３５、通過ゲート３６を備えたゲートユニット３７、開閉式入賞手段３８を備えた開閉入賞ユニット３９、大入賞手段４０を備えた大入賞ユニット４１、普通入賞手段４２を備えた普通入賞ユニット４３等の遊技部品が装着されている。
【００１９】
なお、透明遊技盤３１には、図６等に示すように、表示枠３５等の各遊技部品に対応する複数の装着孔４４の他、前面装飾部材３４の裏側に突設された位置決め突起４５に対応する複数の位置決め孔４６、アウト口４７等が前後方向貫通状に形成されている。
【００２０】
前面装飾部材３４の内周側には、発射手段５により発射された遊技球を案内するガイドレール４８が配置されている。また、表示枠３５（図２）は、透明遊技盤３１の後側に配置された液晶表示ユニット等よりなる画像表示手段４９に対応する開口窓５０を備え、この開口窓５０を介して前側から画像表示手段４９の表示画面４９ａを視認可能となっている。
【００２１】
裏装着部材３２は、透明遊技盤３１に装着された表示枠３５等の遊技部品を後側から覆う裏カバー５１と、透明遊技盤３１側の外周に沿ってその後側に配置される一定幅の板厚調整リブ５２と、それら裏カバー５１と板厚調整リブ５２とを連結する連結板５３とを一体に備えている。
【００２２】
裏カバー５１は、透明遊技盤３１の後側に所定距離離間して略平行に配置される背壁５４と、その背壁５４の外周側から透明遊技盤３１の背面側まで前向きに延設される周壁５５とで後ろ向き膨出状に形成されており、その内部が、図示しない各種装飾部材、演出部材等の配置空間となっている。
【００２３】
裏カバー５１には、背壁５４に矩形状の表示窓５６が形成されており、画像表示手段４９はその表示画面４９ａを表示窓５６に一致させた状態で背壁５４の後側に着脱自在に装着されている。画像表示手段４９の背面側には、例えば演出制御基板が格納された演出基板ケース、液晶制御基板が格納された液晶基板ケース（共に図示省略）等が着脱自在に装着されるようになっている。また、裏カバー５１の下部側には、例えば周壁５５から背壁５４側に跨って開口部５９が形成され、この開口部５９を覆うように集球カバー３３が装着されている。
【００２４】
板厚調整リブ５２は、透明遊技盤３１と従来のベニヤ製遊技盤との板厚の差を埋めるためのもので、裏カバー５１の周壁５５を取り囲むように、例えば透明遊技盤３１の外周の略全周にわたって後ろ向き一定幅で配設されており、図８〜図１０に示すように、透明遊技盤３１の板厚と板厚調整リブ５２の幅とを合わせた値が従来のベニヤ製遊技盤の板厚ｔと一致するようになっている。なお、板厚調整リブ５２は必ずしも透明遊技盤３１の全周にわたって設ける必要はなく、間欠的に配置してもよいが、その場合、少なくとも付勢手段８３ｄ、上ロック手段８５ａ、下ロック手段８５ｂに対応する部分の近傍に配置することが望ましい。
【００２５】
連結板５３は、上部側の上部連結板（第２連結板）５３ａと下部側の下部連結板（第１連結板）５３ｂとで構成されている。上部連結板５３ａは、透明遊技盤３１の裏面側に沿って板厚調整リブ５２の前縁側と裏カバー５１の前縁側とを一体に連結しており、その複数箇所で透明遊技盤３１の裏側にねじ止め固定されるようになっている。
【００２６】
また、下部連結板５３ｂは、板厚調整リブ５２の後縁側と裏カバー５１の周壁５５とを一体に連結するように透明遊技盤３１に対して所定の間隔を空けて平行に配置されている。ここで、上述したように透明遊技盤３１の板厚と板厚調整リブ５２の幅とを合わせた値が従来のベニヤ製遊技盤の板厚ｔと一致しているため、下部連結板５３ｂの背面側が、従来のベニヤ製遊技盤を用いた遊技盤ユニットにおける遊技盤の背面側に相当し、この下部連結板５３ｂの背面側が集球カバー（所定の装着部材の一例）３３を装着するための集球カバー装着部６１となっている。
【００２７】
また、下部連結板５３ｂ上には、透明遊技盤３１の裏側にねじ止めするための前向き凹入状のねじ止め固定部６２と、集球カバー３３側の位置決め突起６３に対応する位置決め孔６４と、集球カバー３３を後側からねじ止めするための前向き突起状の固定ボス６５とが例えば夫々複数設けられている。
【００２８】
集球カバー３３は、開閉式入賞手段３８、大入賞手段４０、普通入賞手段４２等に入賞し、又はアウト口４７を経て透明遊技盤３１の裏側に案内された遊技球を集めて回収通路（図示省略）側へと案内するもので、裏カバー５１の背壁５４の下部側を後側から略覆う後カバー部６６と、裏カバー５１の周壁５５の下部側を左右両側及び下側から略覆う横カバー部６７ａ及び下カバー部６７ｂと、横カバー部６７ａ及び下カバー部６７ｂの前縁側から外向きに延設された例えば複数の固定用鍔部６８とを一体に備え、集球カバー装着部６１に着脱自在に固定されている。
【００２９】
後カバー部６６には、例えば略矩形状の開口部６９が形成されており、その開口部６９を後側から略塞ぐように、例えば主制御基板が格納された主制御基板ケース（図示省略）が着脱自在に装着されるようになっている。
【００３０】
また、下カバー部６７には、下向き開口状に形成された排出口７１と、遊技球を排出口７１側に案内する案内傾斜部７２とが設けられており、裏カバー５１内から開口部５９を経て流下してきた遊技球は案内傾斜部７２により一箇所に集められて排出口７１から回収通路（図示省略）へと排出されるようになっている。
【００３１】
固定用鍔部６８には、ねじ挿通孔７３と前向き突出状の位置決め突起６３とが設けられており、集球カバー３３は、この位置決め突起６３を集球カバー装着部６１側の位置決め孔６４に後側から嵌合させることにより位置決めされ、更に固定用鍔部６８の後側からねじ挿通孔７３を介して集球カバー装着部６１側の固定ボス６５に固定ねじをねじ込むことにより、集球カバー装着部６１に着脱自在に固定されている。
【００３２】
なお、上述したように、集球カバー装着部６１が設けられている下部連結板５３ｂの背面側は、従来のベニヤ製遊技盤を用いた遊技盤ユニットにおける遊技盤の背面側に相当するため、下部連結板５３ｂの背面側に集球カバー３３を装着するように構成することにより、同一形状の集球カバー３３を透明遊技盤３１用とベニヤ製遊技盤用とで共通に使用することができる。
【００３３】
なお、遊技盤ユニット６には、例えばその上縁側と下縁側に内向き凹入状の切欠部７５，７６が、透明遊技盤３１とその前後の前面装飾部材３４、裏装着部材３２とにわたって形成されており、裏装着部材３２側の板厚調整リブ５２はその切欠部７５，７６に沿って設けられている。
【００３４】
以上のような遊技盤ユニット６を保持する遊技盤ユニット装着枠２１は、図２，図３等に示すように、上横枠部４ａに沿って設けられる上支持枠８１、下部装着部３ａの上縁側に設けられる下支持枠８２、左縦枠部４ｃに沿って設けられる左支持枠８３、右縦枠部４ｄに沿って設けられる右支持枠８４の他、遊技盤ユニット６を解除可能に固定する複数、例えば２つのロック手段８５ａ，８５ｂ等を備えている。
【００３５】
上下左右の支持枠８１〜８４は、夫々遊技盤ユニット６をその上下左右の縁部において支持するもので、遊技盤ユニット６の外周面に沿って設けられる周壁部８１ａ〜８４ａと、遊技盤ユニット６における外周部背面に沿って配置される後壁部８１ｂ〜８４ｂとを夫々備えている。
【００３６】
また、支持枠８１〜８４のうちの一つ、例えば左支持枠８３側には、周壁部８３ａから透明遊技盤３１の前面側に沿って突設される前面支持部８３ｃと、後壁部８３ｂ上又はその内周側に配置され且つ遊技盤ユニット６の端部（左端部）を前側の前面支持部８３ｃ側に付勢する板ばね等よりなる付勢手段８３ｄとが、例えば左支持枠８３の上下両端側に夫々設けられており、遊技盤ユニット６の左縁部をその外周側及び前後両側の三方から挟み込むと共に付勢手段８３ｄにより前側、即ち前面支持部８３ｃ側に押圧して支持するようになっている。
【００３７】
なお、遊技盤ユニット６側の左縁部上端側には、図７に示すように、上側の付勢手段８３ｄに対応して、上部連結板５３ａの背面側に板厚調整リブ５２と同じ高さの被押圧リブ８６が例えば縦横に設けられており、上側の付勢手段８３ｄはこの被押圧リブ８６の後端側を、下側の付勢手段８３ｄは下部連結板５３ｂの背面側を、夫々前向きに押圧するようになっている。
【００３８】
ロック手段８５ａ，８５ｂは、遊技盤ユニット６における前面支持部８３ｃとは反対の端部側に対応して配置され、例えば上支持枠８１の右端部近傍に上ロック手段８５ａが、下支持枠８２の右端部近傍に下ロック手段８５ｂが夫々設けられており、遊技盤ユニット６側の切欠部７５，７６はこれら上下のロック手段８５ａ，８５ｂに対応する位置に設けられている。
【００３９】
ロック手段８５ａ，８５ｂは、前後方向の軸部８７と、この軸部８７の前端側に半径方向の例えば二方向に突出するように設けられる固定摘まみ部８８と、軸部８７の軸方向中間部分に半径方向外側に向けて突設される突起部８９とを例えば一体に備え、上支持枠８１，下支持枠８２の後壁部８１ｂ，８２ｂの前側に回転自在に突設されている。
【００４０】
また、ロック手段８５ａ，８５ｂは、固定摘まみ部８８が切欠部７５，７６に干渉しないで前後に通過可能な向き、例えば縦向きとなる解除位置（図？に二点鎖線で示す）と、固定摘まみ部８８が切欠部７５，７６を通過不可能な向き、例えば横向きとなるロック位置（図６に実線で示す）との間で軸廻りに回転可能となっており、ロック位置では固定摘まみ部８８が切欠部７５，７６の周辺部で遊技盤ユニット６の前面側に係合するようになっている。
【００４１】
なお、例えば前面装飾部材３４には、切欠部７５，７６の近傍に固定摘まみ部８８のロック方向への回転軌跡に対応して前側への突出量が徐々に増加する傾斜部９０が設けられており、固定摘まみ部８８を解除位置からロック位置まで回転させる際、固定摘まみ部８８が傾斜部９０に徐々に乗り上げて遊技盤ユニット６を後ろ向きに押圧するようになっている。
【００４２】
更に、ロック手段８５ａ，８５ｂの突起部８９は、固定摘まみ部８８が解除位置にあるときには切欠部７５，７６に干渉せず、固定摘まみ部８８が解除位置からロック位置まで回転される際に切欠部７５，７６の内面側を透明遊技盤３１の盤面に沿って所定の基準位置、例えば遊技盤ユニット装着枠２１の左下部に向けて押圧するように構成されている。
【００４３】
以上のような構成を有するパチンコ機において、遊技盤ユニット６を遊技盤ユニット装着枠２１に装着する際には、図１１，図１２に示すように、ガラス扉１０を開放した状態で、まず遊技盤ユニット６の左縁部を左支持枠８３側の後壁部８３ｂと前面支持部８３ｃとの間に嵌め込んだ後、遊技盤ユニット６の右縁部を右支持枠８４側に嵌め込み、上下のロック手段８５ａ，８５ｂを順次時計方向に９０度回転させてロックする。
【００４４】
これにより、遊技盤ユニット６の左縁部は、上下の付勢手段８３ｄにより前向きに付勢されて透明遊技盤３１の前面側が前面支持部８３ｃに押し付けられた状態で前後方向に支持され、また遊技盤ユニット６の右縁部は、その前面側が上下のロック手段８５ａ，８５ｂにより後ろ向きに押圧され、背面側の板厚調整リブ５２が上後壁部８１ｂ，下後壁部８２ｂ及び右後壁部８４ｂに当接した状態で遊技盤ユニット装着枠２１内に保持される。
【００４５】
以上説明したように、本実施形態に係るパチンコ機では、裏カバー５１に、透明遊技盤３１の外周に沿ってその後側に一定幅で配設された板厚調整リブ５２を一体に設け、透明遊技盤３１の板厚と板厚調整リブ５２の幅とを合わせてベニヤ製遊技盤の板厚ｔと一致するように構成しているため、従来からのベニヤ製遊技盤よりも板厚の薄い透明遊技盤３１を用いつつベニヤ製遊技盤を用いた遊技盤ユニットと互換性を持たせることができ、しかも盤面全体を透明板で形成することができ、更にそのような遊技盤ユニットを少ない部品点数で実現できる。
【００４６】
また、遊技盤ユニット装着枠２１は、遊技盤ユニット６を前側から着脱可能に構成されると共に、遊技盤ユニット６の外周面に沿って配置される周壁部８１ａ〜８４ａと、遊技盤ユニット６の背面側に沿って配置される後壁部８１ｂ〜８４ｂとを備え、遊技盤ユニット６を遊技盤ユニット装着枠２１に装着したとき、板厚調整リブ５２の後端側が後壁部８１ｂ〜８４ｂに略当接するように構成されているため、遊技盤ユニット装着枠２１により遊技盤ユニット６を確実に保持することができると共に、透明遊技盤３１の前面側の位置を、ベニヤ製遊技盤を用いた場合の前面側の位置と一致させることができる。
【００４７】
また、透明遊技盤３１と平行に配置され且つ板厚調整リブ５２の後縁側とその内側の裏カバー５１とを一体に連結する下部連結板５３ｂを備え、この下部連結板５３ｂの背面側に、集球カバー３３を着脱自在に装着可能な集球カバー装着部６１を設けているため、集球カバー装着部６１の位置をベニヤ製遊技盤の背面側と一致させることができ、透明遊技盤３１を用いた遊技盤ユニット６とベニヤ製遊技盤を用いた遊技盤ユニットとで共通の集球カバー３３を用いることが可能である。
【００４８】
更に、板厚調整リブ５２の前縁側と裏カバー５１の前縁側とを透明遊技盤３１の裏面側に沿って一体に連結する上部連結板５３ａを備え、集球カバー３３を装着する部分には下部連結板５３ｂを配置し、それ以外の部分には上部連結板５３ａを配置しているため、ベニヤ製遊技盤を用いた遊技盤ユニットと共通の集球カバー３３を用いることを可能としつつ、上部連結板５３ａを併用することで透明遊技盤３１への装着状態を安定させることができる。
【００４９】
以上、本発明の実施形態について詳述したが、本発明はこれらの実施形態に限定されるものではなく、本発明の趣旨を逸脱しない範囲で種々の変更が可能である。例えば、実施形態では透明遊技盤３１を用いたが、遊技盤が透明であるか否かに関係なく、またその素材が木材であるか合成樹脂であるか等に関係なく、従来のベニヤ製遊技盤よりも薄い遊技盤を用いる場合には全て本発明を適用可能である。例えば、従来よりも薄いベニヤ製遊技盤を本発明に適用すれば、遊技盤ユニットの軽量化が可能である。
【００５０】
実施形態では、遊技盤ユニット装着枠２１に対して遊技盤ユニット６を前側から着脱可能な構成としたが、遊技盤ユニット装着枠２１に対して遊技盤ユニット６を後側から着脱可能な構成であっても同様に適用可能である。
【００５１】
実施形態では、上側の付勢手段８３ｄに対応して遊技盤ユニット６に被押圧リブ８６を設けたが、例えばこの上側の付勢手段８３ｄに対応する位置にも、下側の付勢手段８３ｄと同様、第１連結板５３ｂを設けてもよい。
【００５２】
なお、実施形態ではパチンコ機について例示したが、アレンジボール機、雀球遊技機等の他の弾球遊技機でも同様に実施可能であることはいうまでもない。
【符号の説明】
【００５３】
ｔ    所定板厚
６    遊技盤ユニット
２１    遊技盤ユニット装着枠
３１    透明遊技盤
３３    集球カバー（装着部材）
３５    表示枠（遊技部品）
３７    ゲートユニット（遊技部品）
３９    開閉入賞ユニット（遊技部品）
４１    大入賞ユニット（遊技部品）
４３    普通入賞ユニット（遊技部品）
５１    裏カバー
５２    板厚調整リブ
５３ａ  上部連結板（第２連結板）
５３ｂ  下部連結板（第１連結板）
６１    集球カバー装着部（装着部）
８１ａ〜８４ａ    周壁部
８１ｂ〜８４ｂ    後壁部
【図１】
2011139944.tif 000003
【図２】
2011139944.tif 000004
【図３】
2011139944.tif 000005
【図４】
2011139944.tif 000006
【図５】
2011139944.tif 000007
【図６】
2011139944.tif 000008
【図７】
2011139944.tif 000009
【図８】
2011139944.tif 000010
【図９】
2011139944.tif 000011
【図１０】
2011139944.tif 000012
【図１１】
2011139944.tif 000013
【図１２】
2011139944.tif 000014
【手続補正書】
【提出日】平成23年4月25日(2011.4.25)
【手続補正１】
【補正対象書類名】特許請求の範囲
【補正対象項目名】全文
【補正方法】変更
【補正の内容】
【特許請求の範囲】
【請求項１】
遊技部品（３５，３７，３９，４１，４３）が装着された遊技盤（３１）と該遊技盤（３１）の背面側に着脱可能に装着され且つ前記遊技部品（３５，３７，３９，４１，４３）を後側から覆う裏カバー（５１）とを有する遊技盤ユニット（６）と、所定板厚（ｔ）に形成された前記遊技盤ユニット（６）をその外周部において着脱可能に保持する遊技盤ユニット装着枠（２１）とを備えた弾球遊技機において、前記裏カバー（５１）は、前記遊技盤（３１）の後側に離間して略平行に配置される背壁（５４）と、前記背壁（５４）の外周側から前記遊技盤（３１）の背面側まで前向きに延設される周壁（５５）とで後ろ向き膨出状に形成され、その内部が前記遊技部品（３５，３７，３９，４１，４３）の配置空間となっており、前記周壁（５５）と、前記遊技盤（３１）の外周に沿ってその後側に一定幅で配設された板厚調整リブ（５２）とがそれらの間の領域に配置された連結板（５３）によって一体に連結されており、前記連結板（５３）は、前記領域の一部に対応して前記遊技盤（３１）の背面との間に所定の間隔を空けて配置される第１連結板（５３ｂ）を含み、前記第１連結板（５３ｂ）の背面側に、所定の装着部材（３３）が着脱自在に装着され、前記遊技盤（３１）の板厚と前記板厚調整リブ（５２）の幅とを合わせて前記所定板厚（ｔ）と一致するように構成したことを特徴とする弾球遊技機。
【手続補正２】
【補正対象書類名】明細書
【補正対象項目名】０００９
【補正方法】変更
【補正の内容】
【０００９】
本発明は、遊技部品３５，３７，３９，４１，４３が装着された遊技盤３１と該遊技盤３１の背面側に着脱可能に装着され且つ前記遊技部品３５，３７，３９，４１，４３を後側から覆う裏カバー５１とを有する遊技盤ユニット６と、所定板厚ｔに形成された前記遊技盤ユニット６をその外周部において着脱可能に保持する遊技盤ユニット装着枠２１とを備えた弾球遊技機において、前記裏カバー５１は、前記遊技盤３１の後側に離間して略平行に配置される背壁５４と、前記背壁５４の外周側から前記遊技盤３１の背面側まで前向きに延設される周壁５５とで後ろ向き膨出状に形成され、その内部が前記遊技部品３５，３７，３９，４１，４３の配置空間となっており、前記周壁５５と、前記遊技盤３１の外周に沿ってその後側に一定幅で配設された板厚調整リブ５２とがそれらの間の領域に配置された連結板５３によって一体に連結されており、前記連結板５３は、前記領域の一部に対応して前記遊技盤３１の背面との間に所定の間隔を空けて配置される第１連結板５３ｂを含み、前記第１連結板５３ｂの背面側に、所定の装着部材３３が着脱自在に装着され、前記遊技盤３１の板厚と前記板厚調整リブ５２の幅とを合わせて前記所定板厚ｔと一致するように構成したものである。